【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
高度データを検索する方法であって、この方法は、
第１のインデックスを使用してディジタル高度モデル（ＤＥＭ）の第１の圧縮された部分を突き止め、
なおディジタル高度モデルは、ディジタル高度モデルの第１のタイル内に圧縮されたプロファイルの部分である複数の圧縮された部分を含み、この圧縮された部分はメモリマップドファイル（ＭＭＦ）、ランダムアクセスメモリ（ＲＡＭ）、そしてディジタル処理システム上のファイルシステム内のファイルの１つに記憶され、複数の圧縮された部分は第１の圧縮された部分を含み、該第１のインデックスは第１の圧縮された部分が記憶される記憶場所を示し、
ディジタル高度モデル内の少なくとも１つのサンプル地点に関する第１の高度データを検索するために、第１の圧縮された部分を復元し、
第１のタイルを識別し、なお該第１のタイルは第１の場所を含み、そしてディジタル高度モデルの領域内の複数のタイルの１つであり、そして
第１の場所の近傍に存在する第１のプロファイルを識別するステップとを含み、なお第１の圧縮された部分は第１のプロファイルの一部分である、
高度データを検索する方法。
【請求項２】
該第１の圧縮された部分を復元するステップは、
基準化された高度データを生成するために、該第１の圧縮された部分をランレングス復号し、
正規化された高度データを生成するために、該基準化された高度データを逆基準化し、そして
該第１の高度データを生成するために、該記正規化された高度データに基準高度を加算するステップと、
を含む請求項１に記載の方法。
【請求項３】
第１の場所の近傍内の複数のサンプル地点を識別し、
該ディジタル高度モデルから該複数のサンプル地点の高度を検索し、そして
該複数のサンプル地点の高度を使用して補間法に基づき該第１の場所の高度を計算するステップと、
を更に含む請求項１に記載の方法。
【請求項４】
該ディジタル高度モデルによって使用される座標系において、該第１の場所の水平位置を表すために座標変換を行うステップを更に含む請求項３に記載の方法。
【請求項５】
測位システムにおいて高度支援を行うために、位置決定エンティティに該第１の場所の高度を提供するステップを更に含む請求項３に記載の方法。
【請求項６】
第１の場所の前記高度を計算するステップは、第１の場所の高度が該位置決定エンティティによって使用される座標系で表現されるように座標変換を行うステップを含む請求項５に記載の方法。
【請求項７】
ディジタル処理システムによって実行される場合に、前記システムに高度データを検索する方法を実行させる実行可能なコンピュータプログラム命令を含む機械可読媒体であって、この方法は、
第１のインデックスを使用してディジタル高度モデル（ＤＥＭ）の第１の圧縮された部分を突き止め、
なおディジタル高度モデルは、ディジタル高度モデルの第１のタイル内に圧縮されたプロファイルの部分である複数の圧縮された部分を含み、該複数の圧縮された部分はメモリマップドファイル（ＭＭＦ）、ランダムアクセスメモリ（ＲＡＭ）、そしてディジタル処理システム上のファイルシステム内のファイルの１つに記憶され、複数の圧縮された部分は第１の圧縮された部分を含み、該第１のインデックスは第１の圧縮された部分が記憶される記憶場所を示し、
ディジタル高度モデル内の少なくとも１つのサンプル地点に関する第１の高度データを検索するために、該第１の圧縮された部分を復元し、
第１の場所を含み、そして該ディジタル高度モデルの領域内の複数のタイルの１つである該第１のタイルを識別し、
該第１の場所の近傍に存在する第１のプロファイルを識別するステップを含み、なお該第１の圧縮された部分は該第１のプロファイルの一部分である、
機械可読媒体。
【請求項８】
前記第１の圧縮された部分を復元するステップは、さらに
基準化された高度データを生成するために、該第１の圧縮された部分をランレングス復号し、
正規化された高度データを生成するために、該基準化された高度データを逆基準化し、そして
該第１の高度データを生成するために、該正規化された高度データに基準高度を加算するステップと、
を含む請求項７に記載の媒体。
【請求項９】
第１の場所の近傍の複数のサンプル地点を識別し、
該ディジタル高度モデルから該複数のサンプル地点の高度を検索し、そして
該複数のサンプル地点の高度を使用する補間法に基づき該第１の場所の高度を計算するステップ、
とをさらに含む請求項７に記載の媒体。
【請求項１０】
該ディジタル高度モデルによって使用される座標系で該第１の場所の水平位置を表すために、座標変換を実行するステップを更に含む請求項９に記載の媒体。
【請求項１１】
測位システムにおいて高度支援を実行するために、位置決定エンティティに該第１の場所の高度を提供するステップを更に含む請求項９に記載の媒体。
【請求項１２】
前記第１の場所の高度を計算するステップは、
該第１の場所の高度が該位置決定エンティティによって使用される座標系で表現されるように座標変換を行うステップを含む請求項１１に記載の媒体。
【請求項１３】
高度データを検索するディジタル処理システムであって、このディジタル処理システムは
第１のインデックスを使用してディジタル高度モデル（ＤＥＭ）の第１の圧縮された部分を突き止める手段と、
なおディジタル高度モデルはディジタル高度モデルの第１のタイル内に圧縮されたプロファイルの部分である複数の圧縮された部分を含み、複数の圧縮された部分はメモリマップドファイル（ＭＭＦ）、ランダムアクセスメモリ（ＲＡＭ）、そしてディジタル処理システム上のファイルシステム内のファイルの１つに記憶され、複数の圧縮された部分は第１の圧縮された部分を含み、該第１のインデックスは第１の圧縮された部分が記憶される記憶場所を示し、
ディジタル高度モデル内の少なくとも１つのサンプル地点に関する第１の高度データを検索するため、第１の圧縮された部分を復元する手段と、
第１のタイルを識別する手段と、なお該第１のタイルは第１の場所を含み、そしてディジタル高度モデルの領域内の複数のタイルの１つであり、そして、
第１の場所の近傍に存在する第１のプロファイルを識別する手段とを含み、なお第１の圧縮された部分は第１のプロファイルの一部分である
ディジタル処理システム。
【請求項１４】
前記第１の圧縮された部分を復元する手段は、
基準化された高度データを生成するために、該第１の圧縮された部分をランレングス復号する手段と、
正規化された高度データを生成するために、該基準化された高度データを逆基準化する手段と、そして
該第１の高度データを生成するために、該正規化された高度データに基準高度を加算する手と、
を含む請求項１３に記載のディジタル処理システム。
【請求項１５】
第１の場所の近傍における複数のサンプル地点を識別する手段と、
該ディジタル高度モデルから複数のサンプル地点の高度を検索する手段と、そして
該複数のサンプル地点の高度を使用する補間法により、該第１の場所の高度を計算する手段と、
を更に含む請求項１３に記載のディジタル処理システム。
【請求項１６】
該ディジタル高度モデルによって使用される座標系において、該第１の場所の水平位置を表すために座標変換を行う手段を更に含む請求項１５に記載のディジタル処理システム。
【請求項１７】
測位システムにおいて高度支援を行うために、位置決定エンティティに該第１の場所の高度を提供する手段を更に含む請求項１５に記載のディジタル処理システム。
【請求項１８】
第１の場所の高度を計算する前記手段は、第１の場所の高度が該位置決定エンティティによって使用される座標系で表現されるように座標変換を行う手段を含む請求項１７に記載のディジタル処理システム。
【請求項１９】
高度データを検索する方法であって、この方法は、
第１のインデックスを使用してディジタル高度モデル（ＤＥＭ）の第１の圧縮された部分を突き止め、
なおディジタル高度モデルは、ディジタル高度モデルの第１のタイル内に圧縮されたプロファイルの部分である複数の圧縮された部分を含み、この圧縮された部分はメモリマップドファイル（ＭＭＦ）、ランダムアクセスメモリ（ＲＡＭ）、そしてディジタル処理システム上のファイルシステム内のファイルの１つに記憶され、複数の圧縮された部分は第１の圧縮された部分を含み、該第１のインデックスは第１の圧縮された部分が記憶される記憶場所を示し、
ディジタル高度モデル内の少なくとも１つのサンプル地点に関する第１の高度データを検索するために前記第１の圧縮された部分を復元し、
第１のタイルを識別し、なお該第１のタイルは第１の場所を含み、そしてディジタル高度モデルの領域内の複数のタイルの１つであり、
第１の場所の近傍に存在する第１のプロファイルを識別し、なお第１の圧縮された部分は第１のプロファイルの一部分であり、そして
第１の場所を含みそしてディジタル高度モデルの複数の領域の１つである領域を識別するステップとを含む、
高度データを検索する方法。
【請求項２０】
ディジタル処理システムによって実行される場合に、前記システムに高度データを検索する方法を実行させる、実行可能なコンピュータプログラム命令を含む機械可読媒体であって、
この方法は、
第１のインデックスを使用してディジタル高度モデル（ＤＥＭ）の第１の圧縮された部分を突き止め、
なおディジタル高度モデルは、ディジタル高度モデルの第１のタイル内に圧縮されたプロファイルの部分である複数の圧縮された部分を含み、複数の圧縮された部分はメモリマップドファイル（ＭＭＦ）、ランダムアクセスメモリ（ＲＡＭ）、そしてディジタル処理システム上のファイルシステム内のファイルの１つに記憶され、複数の圧縮された部分は第１の圧縮された部分を含み、該第１のインデックスは第１の圧縮された部分が記憶される記憶場所を示し、
ディジタル高度モデル内の少なくとも１つのサンプル地点に関する第１の高度データを検索するため、第１の圧縮された部分を復元し、
第１のタイルを識別し、なお該第１のタイルは第１の場所を含みそしてディジタル高度モデルの領域内の複数のタイルの１つであり、
該第１の場所の近傍に存在する第１のプロファイルを識別し、なお第１の圧縮された部分は第１のプロファイルの一部分であり、そして
該第１の場所を含みそしてディジタル高度モデルの複数の領域の１つである領域を識別するステップとを含む、
機械可読媒体。
【請求項２１】
高度データを検索するディジタル処理システムであって、このディジタル処理システムは、
第１のインデックスを使用してディジタル高度モデル（ＤＥＭ）の第１の圧縮された部分を突き止める手段と、
なおディジタル高度モデルは、ディジタル高度モデルの第１のタイル内に圧縮されたプロファイルの部分である複数の圧縮された部分を含み、複数の圧縮された部分はメモリマップドファイル（ＭＭＦ）、ランダムアクセスメモリ（ＲＡＭ）、そしてディジタル処理システム上のファイルシステム内のファイルの１つに記憶され、複数の圧縮された部分は第１の圧縮された部分を含み、該第１のインデックスは第１の圧縮された部分が記憶されている記憶場所を示し、
ディジタル高度モデル内の少なくとも１つのサンプル地点に関する第１の高度データを検索するための第１の圧縮された部分を復元する手段と、
第１のタイルを識別する手段と、なお該第１のタイルは第１の場所を含みそしてディジタル高度モデルの領域内の複数のタイルの１つであり、
第１の場所の近傍に存在する第１のプロファイルを識別する手段と、なお第１の圧縮された部分は第１のプロファイルの一部分であり、そして
該第１の場所を含みそしてディジタル高度モデルの複数の領域の１つである領域を識別する手段と、
を含むシステム。